(57)【要約】      （修正有）【課題】女性が乗用車内で安全に使用することができる円筒カップ形トイレを提供する。【解決手段】円筒紙枠１とポリ袋８とを含み、円筒紙枠１の両側部に、つまみ孔２を備え、ポリ袋８は円筒紙枠１内を挿通し、ポリ袋８は円筒紙枠１の上端部で外側に折り曲げられたポリ袋折り曲げ部３を有し、折り曲げ部３は各つまみ孔２を覆うように円筒紙枠１に装着され、ポリ袋８は凝固剤４を収容するための袋であり、排泄使用時に、使用者が片手の指で、両方のつまみ孔２をポリ袋折り曲げ部３ごとつまむことにより、折りたたんだ円筒紙枠１が開いて円筒状に設けられる。【選択図】図１
0003207736.tif 000002
【実用新案登録請求の範囲】
【請求項１】
円筒紙枠（１）とポリ袋（８）とを含み、前記円筒紙枠(１)  の両側部に、つまみ孔(２)を備え、前記ポリ袋（８）は前記円筒紙枠（1）内を挿通し、前記ポリ袋（８）は前記円筒紙枠（１）内を挿通し、前記ポリ袋（８）は前記円筒紙枠（１）の上端部で外側に折り曲げられたポリ袋折り曲げ部（３）を有し、前記折り曲げ部（３）は各つまみ孔（２）覆うように前記円筒紙枠に装着され、前記ポリ袋（８）は凝固剤（４）を収容するための袋であり、排泄使用時に、使用者が片手の指で、両方のつまみ孔（２）を前記ポリ袋折り曲げ部（３）ごとつまむことにより、折りたたんだ円筒紙枠（１）が開いて円筒状に設けられる、円筒カップ形トイレ。
【考案の詳細な説明】
【技術分野】
【０００１】
世界に自動車が普及した現代に於いて、女性が乗用車内で安全に使用できる、女性用カートイレが未だ開発されていない。大型車用ポータブルトイレはすでに開発され多くのキャンピングカー等に常備されているが、一般乗用車には全くトイレは付いてないのが自動車業界の実態である。本考案は乗用車のトイレ状況を考慮して、新しく女性が狭い乗用車内でも安全に、安心して排尿ができる、使い捨て折りたたみカップ形携帯トイレを開発して、世界の女性達にカードライブの安心感を提供行うものである。
【背景技術】
【０００２】
商品名、女性用携帯トイレはこれまで、色々開発され、すでに市販されているが、現実女性が狭い乗用車の中で安全に使用できる、携帯用カートイレは開発されていない。その証拠に子供以外の成人女性が、乗用車内で携帯トイレを使用した実績は乏しく又市販されている女性用携帯トイレの構造から考えても、狭い乗用車内で、しゃがむ姿勢で排尿するには、必ず片手は座席の何処かにつかまっていないと排尿姿勢は保たれない。従来の両手を使用する携帯トイレは問題のあることが指摘されていた。
【先行技術文献】
【特許文献】
【０００３】
【特許文献１】特開２００５−３１９２６６
【考案の概要】
【考案が解決しようとする課題】
【０００４】
全世界に自動車が普及している現代に於いて、未だ女性が乗用車内で安全に排尿が出来る携帯トイレの無いことが、調査の結果判明した。本考案の課題は全世界女性ドライバーのために、狭い乗用車内、登山、野外、その他、災害非難場所等に於いて、トイレの無い場所でも安全に排尿、排便が出来る、全く新しい使い捨て折りたたみ円筒カップ形トイレの開発を行うことが本考案の背景にある。
【０００５】
現在市販されている携帯トイレを女性が安全に使用できない理由は、狭い乗用車の座席等で排尿する場合、排尿姿勢が十分保たれないためである。成人女性の場合常に片手で何かにつかまっていないと安定したしゃがみ排尿姿勢が保たれないのである。その為、女性は片手で安全に排尿ができる、携帯トイレを必要とするが、現在、市販されている、女性用携帯トイレの多くはソフトなポリ袋トイレで、女性陰部に両手で押し当て使用する構造になっている。携帯トイレを陰部に押し当て使用する方法は理解できるが、しかし現実は排尿時、押し当てたソフトポリ袋トイレに、放尿噴射圧が生じるため、携帯トイレの袋口は常に両手で押さえ使用する必要性がある。この女性排尿の実態を知る限り、携帯トイレは片手で安全に使用でき、更に別の片手で座席シート、又は何かに、しっかり捕まって排尿姿勢を保つことが絶対必要と考えられる。
そこで、この考案の目的は、使用者が片手で簡単に円筒形に開くことができ、かつ、使用後、適切に廃棄処理できる、円筒カップ形トイレを提供する
【課題を解決するための手段】
【０００６】
前記目的を達成するための請求項１に記載の考案は、円筒紙枠（１）  とポリ袋（８）とを含み、前記円筒紙枠(１)  の両側部に、つまみ孔(２)  を備え、前記ポリ袋（８）は前記円筒紙枠（1）  内を挿通し、前記ポリ袋（８）  は前記円筒紙枠（１）内を挿通し、前記ポリ袋（８）  は前記円筒紙枠（１）  の上端部で外側に折り曲げられたポリ袋折り曲げ部（３）を有し、前記ポリ袋折り曲げ部（３）は各つまみ孔（２）を覆うように前記円筒紙枠に装着され、前記ポリ袋（８）  は凝固剤（４）  を収容するための袋であり、排泄使用時に、使用者が片手の指で、両方のつまみ孔（２）  を前記ポリ袋折り曲げ部（３）  ごとつまむことにより、折りたたんだ円筒紙枠（１）が開いて円筒
状に設けられる、円筒カップ形トイレである。
【０００７】
次に、折りたたんだ板状紙カップ携帯トイレを女性が使用時、円筒状カップ形トイレに変形させる手段として、図３の通り、紙枠の両端に新しくつまみ孔を設けたのである。女性が排泄時、この紙枠左右つまみ孔に片手の指を入れ、強くつまむと板状紙枠は簡単に円筒状カップ形トイレに変形するのである。女性が狭い自動車内で、しゃがみ姿勢で排泄する場合、片手で座席シートに捕まり、片手でカップトイレを陰部に強く押し当て排尿するが、その時カップ形状が変形することなく、頑丈に保たれる必要性がある。紙枠につまみ孔が無ければ、女性が小さな手でカップ形トイレを大きく円筒状に保ったまま、安全に排泄することは困難である。
【考案の効果】
【０００８】
この考案によれば、円筒紙枠（１）とポリ袋（８）とを含み、前記円筒紙枠(１)の両側部に、つまみ孔(２)を備え、前記ポリ袋（８）は前記円筒紙枠（1）内を挿通し、前記ポリ袋（８）は前記円筒紙枠（１）を挿通し、前記ポリ袋（８）は前記円筒紙枠（１）の上端部で外側に折り曲げられたポリ袋折り曲げ部（３）を有し、前記折り曲げ部（３）は各つまみ孔（２）を覆うように前記円筒紙枠に装着され、前記ポリ袋。
（８）は凝固剤（４）を収容するための袋であり、排泄使用時に、使用者が片手の指で、両方のつまみ孔（２）を前記ポリ袋折り曲げ部（３）ごとつまむことにより、折りたたんだ円筒紙枠（１）が開いて円筒状に設けられる、円筒カップ形トイレである。
【図面の簡単な説明】
【０００９】
【図１】円筒カップ形トイレの構成
【図２】円筒カップ形トイレの側面図
【図３】使用図
【考案を実施するための形態】
【００１０】
図１、円筒カップ形トイレの構成である、円筒形トイレは乗用車の中で使用者、とくに女性使用者が排尿するためのトイレである。円筒形トイレは円筒紙枠(１)と、ポリ袋(８)とを含む。円筒紙枠(１)は、円筒状(開状態)と板状(閉状態)との間で開閉可能である。円筒紙枠(１)には閉状態で、左右側辺に一対のつまみ孔(２)が形成されている。ポリ袋(８)は、長方形の長ポリ袋である。ポリ袋(８)は粉末凝固剤等の凝固剤を内部に収容している。ポリ袋(８)は、図１に示すように、紙枠(１)内に挿通されており、図３に示すように円筒紙枠(１)の上端部で外側に折り曲げられて、ポリ袋折り曲げ部(３)を形成している。この状態で、ポリ袋折り曲げ部(３)は、各つまみ孔(２)を覆うように円筒紙枠(２)に装着されている。排泄使用者には、使用者が片手の指で両方のつまみ孔(２)をポリ袋ごとつまむ。このとき、左右側辺につまみ孔が形成されているので、両方のつまみ孔(２)間の距離が短い。そのため、両方のつまみ孔(２)を良好につまむことができる。そして、両方のつまみ孔部(２)をつまんだ状態で力を入れることにより、円筒紙枠(１)が変形して円筒状をなす。
【００１１】
携帯用トイレは古くから開発されすでに市販されている商品である。しかし調査の結果女性用携帯トイレについては、未だ安全な機能を保つトイレは開発されていない。その証拠に現在、狭い乗用車内で女性が安全に安心して排尿できる、成人女性用携帯トイレは存在しないのである。本考案、使い捨て折りたたみカップ形携帯トイレは紙カップとポリ袋を応用した単純な構造の携帯トイレであるが、カップ形トイレの場合、女性は何処でも容易に、しゃがんで独自尿漏れすることなく排尿が出来るものである。しかし従来のポリ袋形女性用携帯トイレ使用の場合、しゃがみ姿勢で使用すると、手元からポリ袋がねじれたり、折れ曲がったりして尿漏れの起きる場合が多々ある。カップ形携帯トイレの使用状況は実施例に示した通り安全である。
【００１２】
折りたたみカップ形携帯トイレを、狭い乗用車内で成人女性が使用する場合、先ず板状に折りたたんだ紙枠トイレのつまみ孔に、片手の親指と人さし指を差し込んで強くつまむと、板状に折りたたんだ紙枠トイレのつまみ孔に、片手の親指と人さし指を差し込んで強くつまむと、板状に折りたたんだ紙カップ形トイレが円筒状カップに大きく開くのである。
次に女性が、しゃがみ排尿姿勢を保つため，片手で座席シートにつかまった上で、別の片手でカップ形トイレを陰部に強く押し当て排尿行うが、この方法こそ狭い自動車内で、しゃがむことが容易であれば，又安全に排尿することも容易に出来るものである。
【００１３】
以上により、この実施形態によれば、円筒紙枠（１）とポリ袋（８）とを含み、前記円筒紙枠(１)の両側部に、つまみ孔(２)を備え、前記ポリ袋（８）は前記円筒紙枠（1）内を挿通し、前記ポリ袋（８）は前記円筒紙枠（１）内を挿通し、前記ポリ袋（８）は前記円筒紙枠（１）の上端部で外側に折り曲げられたポリ袋折り曲げ部（３）を有し、前記折り曲げ部（３）は各つまみ孔（２）  覆うように前記円筒紙枠に装着され、前記ポリ袋（８）  は凝固剤（４）を収容するための袋であり、排泄使用時に、使用者が片手の指で、両方のつまみ孔（２）を前記ポリ袋折り曲げ部（３）ごとつまむことにより、折りたたんだ円筒紙枠（１）が開いて円筒状に設けられる、円筒カップ形トイレ、ができる。
【産業上の利用可能性】
【００１４】
普通乗用車内で女性が、しゃがみ排尿姿勢になって、片手で座席につかまり、別の片手でカップトイレを持って独自排尿行った場合、問題なく安全に排尿することができる。狭い乗用車内で女性が安全に排尿できる技術開発は実に画期的なことであって折りたたみカップ形携帯トイレの構造は単純であるが、狭い乗用車内で女性が安全に排尿出来る技術開発には新規性が認められるものである。更に実施例から排尿と排便が兼用できる商品であれば、本格的に男女大便小便兼用、使い捨て折りたたみ携帯トイレとして市場に販売すれば、産業上の利用可能性は大変大きいものと思われる。新しく使い捨てカップ形災害避難用
形携帯トイレとして販売すれば、一般家庭に広く使用できることを考えると、本商品の産業上利用可能性は実に膨大である。
【符号の説明】
【００１５】
１    円筒紙枠
２    つまみ孔
３    ポリ袋折り曲げ部
４    凝固剤
５    板状折りたたみ紙枠
６    片手
７    円筒カップ形トイレ
８    ポリ袋
【図１】
0003207736.tif 000003
【図２】
0003207736.tif 000004
【図３】
0003207736.tif 000005